(57)【要約】      （修正有）【課題】身長計測が可能な体重計を提供する。【解決手段】スケール本体１０とは別体の検出ボード５０は、測定対象者の頭頂部に当接でき且つ測定対象者の足と接触するプラットフォーム１１に対して近づけたり離れたりするように移動できる。スケール本体１０及び検出ボード５０の少なくとも一方に信号発信部が設けられており、スケール本体１０及び検出ボード５０の少なくとも一方に信号受信部が設けられている。信号発信部及び信号受信部は、プラットフォーム１１と検出ボード５０との間の距離を測定する。【選択図】図２
2019191147.tif 000002
【特許請求の範囲】
【請求項１】
測定対象者の足と接触するプラットフォームを備えるスケール本体と、
前記スケール本体とは別体であり、前記測定対象者の頭頂部に当接するように構成され且つ前記プラットフォームに対して近づけたり離れたりするように移動可能な検出ボードとを備える体重計であって、
前記スケール本体及び前記検出ボードの少なくとも一方に信号発信部が設けられ、
前記スケール本体及び前記検出ボードの少なくとも一方に信号受信部が設けられ、
前記信号発信部及び前記信号受信部は、前記プラットフォームと前記検出ボードとの間の距離を測定するように構成され、
前記スケール本体は、秤量機構と、信号処理部と、無線通信装置と、表示スクリーンとを更に備え、
前記無線通信装置は、無線ネットワークを介して外部モバイル装置又はサーバとやり取りを行うように構成され、
前記信号処理部は、
前記信号発信部、前記信号受信部及び前記秤量機構のデータを処理したり、
当該処理されたデータを表示用として前記表示スクリーンに送信したり、且つ、
前記処理されたデータを、前記無線通信装置を介して前記外部モバイル装置又はサーバに送信したりするように構成されている
ことを特徴とする体重計。
【請求項２】
請求項１に記載の体重計であって、
前記体重計は、音響インジケータを更に備え、
前記音響インジケータは、前記信号処理部に電気的に接続されており、且つ、前記信号処理部から送信された前記処理されたデータを音声で報知するように構成されていることを特徴とする体重計。
【請求項３】
請求項１に記載の体重計であって、
前記スケール本体には、少なくとも１つの操作ボタンが設けられており、
前記操作ボタン及び前記表示スクリーンは、前記プラットフォームに設けられており、
前記操作ボタンは、前記表示スクリーンの一方の側にあることを特徴とする体重計。
【請求項４】
請求項３に記載の体重計であって、
前記操作ボタンは、ロックボタン、音声報知ボタン、無線送信ボタン、電源ボタン及び身長表示ボタンからなる群から少なくとも１つ選択されることを特徴とする体重計。
【請求項５】
請求項１に記載の体重計であって、
前記信号発信部が、レーザーエミッタ、ＬＥＤエミッタ、赤外線エミッタ、超音波トランスミッタ、電磁波トランスミッタ及びミリ波トランスミッタからなる群から少なくとも１つ選択されることを特徴とする体重計。
【請求項６】
請求項１に記載の体重計であって、
前記無線通信装置が、ＷｉＦｉ装置、Ｂｌｕｅｔｏｏｔｈ装置、ＺｉｇＢｅｅ装置、Ｚｗａｖｅ装置、ＷＬＡＮ装置、ＧＳＭ装置、２Ｇ装置、３Ｇ装置、４Ｇ装置及び５Ｇ装置からなる群から少なくとも１つ選択されることを特徴とする体重計。
【請求項７】
請求項１に記載の体重計であって、
前記体重計は、前記体重計に電力を供給するように構成された電源装置を更に備えることを特徴とする体重計。
【請求項８】
請求項１に記載の体重計であって、
前記信号処理部は、マイクロプロセッサを備え、
前記表示スクリーンは、ＬＣＤ又はデジタル表示スクリーンであり、
前記検出ボードは、プラスチック板又は携帯電話であることを特徴とする体重計。
【請求項９】
測定対象者の足と接触するプラットフォームを備え、且つ、信号発信部及び信号受信部が設けられたスケール本体と、
前記スケール本体とは別体であり、前記測定対象者の頭頂部に当接するように構成され且つ前記プラットフォームに対して近づけたり離れたりするように移動可能な検出ボードとを備える体重計であって、
前記検出ボード、前記信号発信部及び前記信号受信部は、前記プラットフォームと前記検出ボードとの間の距離を協働して測定し、
前記スケール本体は、秤量機構と、信号処理部と、無線通信装置と、表示スクリーンとを更に備え、
前記無線通信装置は、無線ネットワークを介して外部モバイル装置又はサーバとやり取りを行うように構成され、
前記信号処理部は、前記秤量機構と、前記信号発信部と、前記信号受信部と、前記無線通信装置と、前記表示スクリーンとに、電気的に接続され、
前記信号処理部は、
前記信号発信部、前記信号受信部及び前記秤量機構のデータを処理したり、
当該処理されたデータを表示用として前記表示スクリーンに送信したり、且つ、
前記処理されたデータを、前記無線通信装置を介して前記外部モバイル装置又はサーバに送信したりするように構成されている
ことを特徴とする体重計。
【請求項１０】
請求項９に記載の体重計であって、
前記信号発信部が、レーザーエミッタ、ＬＥＤエミッタ、赤外線エミッタ、超音波トランスミッタ、電磁波トランスミッタ及びミリ波トランスミッタからなる群から少なくとも１つ選択されることを特徴とする体重計。
【発明の詳細な説明】
【技術分野】
【０００１】
本開示は、体重測定技術に関し、より具体的には、体重計に関する。
【０００２】
関連出願の相互参照
本願は、２０１８年４月２７日付で出願された「体重計」という名称の中国特許出願第２０１８２０６１５５７５８号、２０１８年７月２７日付で出願された「体重計」という名称の中国特許出願第２０１８１０８４７１６４６号、２０１８年７月２７日付で出願された「体重計」という名称の中国特許出願第２０１８２１２１４３５５０号の優先権を主張するものであり、これらの出願の全体が参照により本明細書に組み込まれる。
【背景技術】
【０００３】
従来の体重計は、通常、単に体重を測定できるだけである。使用者がその身長を測定したい場合、その身長は、機械的手段（巻き尺等）により手動で測定するしかない。機械的手段のデータを測定することは、正確でなく、使用者が直感的に見ることができない。そして、その測定結果は、人的要因によって大きく影響を受ける。また、使用者は、測定結果を手動で記録する必要があるため、測定に時間がかかると共に労力を要する。
【発明の概要】
【課題を解決するための手段】
【０００４】
本開示の様々な実施形態によれば、体重計が提供される。
【０００５】
体重計は、スケール本体と、検出ボードとを備える。スケール本体は、測定対象者の足と接触するプラットフォームを備える。検出ボードは、スケール本体とは別体であり、測定対象者の頭頂部に当接するように使用される。検出ボードは、プラットフォームに対して近づけたり離れたりするように移動することができる。スケール本体及び検出ボードの少なくとも一方に信号発信部が設けられ、スケール本体及び検出ボードの少なくとも一方に信号受信部が設けられる。信号発信部及び信号受信部は、プラットフォームと検出ボードとの間の距離を測定するのに使用される。スケール本体は、秤量機構と、信号処理部と、無線通信装置と、表示スクリーンとを更に備える。無線通信装置は、無線ネットワークを介して外部モバイル装置又はサーバとやり取りを行うのに使用される。信号処理部は、信号発信部、信号受信部及び秤量機構のデータを処理したり、この処理されたデータを表示用として表示スクリーンに送信したり、且つ、この処理されたデータを無線通信装置を介して外部モバイル装置又はサーバに送信したりするのに使用される。
【０００６】
体重計は、スケール本体と、検出ボードとを備える。スケール本体は、測定対象者の足と接触するプラットフォームを備える。スケール本体には、信号発信部及び信号受信部が設けられる。検出ボードは、スケール本体とは別体であり、測定対象者の頭頂部に当接するように使用される。検出ボードは、プラットフォームに対して近づけたり離れたりするように移動することができる。検出ボード、信号発信部及び信号受信部は、プラットフォームと検出ボードとの間の距離を協働して測定する。スケール本体は、秤量機構と、信号処理部と、無線通信装置と、表示スクリーンとを更に備える。無線通信装置は、無線ネットワークを介して外部モバイル装置又はサーバとやり取りを行うのに使用される。信号処理部は、秤量機構と、信号発信部と、信号受信部と、無線通信装置と、表示スクリーンとに、電気的に接続されている。信号処理部は、信号発信部、信号受信部及び秤量機構のデータを処理したり、この処理されたデータを表示用として表示スクリーンに送信したり、且つ、この処理されたデータを無線通信装置を介して外部モバイル装置又はサーバに送信したりするのに使用される。
【０００７】
本明細書に記載された主題の１つ以上の実施例の詳細を、添付の図面及び以下の説明において説明する。本主題の他の考えうる特徴、態様及び利点は、以下の説明、図面及び請求項から明らかとなろう。
【０００８】
本開示の実施形態に係る又は先行技術における技術的解決手段をより明確に例示するために、本実施形態又は先行技術を説明するための添付の図面を以下に簡潔に紹介する。明らかに、以下の説明における添付の図面は、本開示の幾つかの実施形態のみであり、当業者であれば、創造的な努力を行うことなく、添付の図面から他の図面を導き出すことができよう。
【図面の簡単な説明】
【０００９】
【図１】図１は、第１実施形態に係る体重計のスケール本体の拡大上面図である。
【図２】図２は、使用状態における図１の体重計の概略図である。
【図３】図３は、図２の体重計のブロック図である。
【図４】図４は、第２実施形態に係る体重計のスケール本体の上面図である。
【図５】図５は、使用状態における図４の体重計の概略図である。
【図６】図６は、図５の体重計のブロック図である。
【発明を実施するための形態】
【００１０】
以下、図面を参照して、本体重計の実施形態を、詳細に説明する。なお、本開示において「ある」実施形態と言及するとき、それは、同一の実施形態を指すとは限らず、そのような言及は、少なくとも１つを意味する。
【００１１】
文脈上明確に必要となる場合を除き、本明細書及び請求項を通じて、「備える」や「備えている」等の文言は、排他的又は排除的な意味とは反対の包含的な意味、すなわち、「含むがこれらに限定はされない」という意味に解釈されることを意図している。単数を用いた文言や複数を用いた文言は、それぞれ複数又は単数の場合を含む。また、「本明細書において」、「以上」、「以下」という文言及び同様の導入句は、本願において使用される際、本願の特定の部分ではなく、本願全体を指すものである。請求項において、２つ以上の項目のリストを参照した「又は」という文言は、その文言は、その以下に続く解釈の全て、すなわち、そのリストの項目のいずれか、そのリストの項目の全て、及び、そのリストの項目の任意の組み合わせを包含するものである。
【００１２】
図１〜３を参照し、第１実施形態に係る体重計１００を示す。本実施形態では、体重計１００は、スケール本体１０と、検出ボード５０とを備える。
【００１３】
スケール本体１０は、プラットフォーム１１と、秤量機構１２と、信号処理部１３と、信号発信部２０と、信号受信部３０と、無線通信装置１４と、表示スクリーン４０とを備える。
【００１４】
プラットフォーム１１は、大人や子供、幼児等の測定対象者の足に接触することができる。
【００１５】
秤量機構１２は、測定対象者の体重を量るのに使用される。ある実施形態においては、秤量機構１２は重力センサ１２１を備えており、この重力センサを使用して測定対象者の体重を測定する。
【００１６】
信号発信部２０は、測定対象者の身長を測定するための信号を発信するのに使用される。信号発信部２０は、レーザーエミッタ、ＬＥＤエミッタ、赤外線エミッタ、超音波トランスミッタ、電磁波トランスミッタ及びミリ波トランスミッタからなる群から少なくとも１つ選択されるものとすることができる。
【００１７】
信号受信部３０は、検出ボード５０により反射された身長測定信号を受信するのに使用される。
【００１８】
信号処理部１３は、信号発信部２０と、信号受信部３０と、秤量機構１２と、無線通信装置１４と、表示スクリーン４０とに、それぞれ電気的に接続されている。該信号処理部１３には、マイクロプロセッサ又はデータ処理等を実施できるその他のチップを用いることができる。また、該信号処理部１３は、信号発信部２０及び信号受信部３０から送信されたデータを処理して測定対象者の身長データを取得したり、秤量機構１２から送信されたデータを処理して測定対象者の体重データを取得したり、その身長データ及び体重データを表示スクリーン４０に送信したりする。
【００１９】
無線通信装置１４は、無線ネットワークを介して外部モバイル又はサーバとやり取りを行うのに使用される。無線通信装置１４は、ＷｉＦｉ装置、Ｂｌｕｅｔｏｏｔｈ装置、ＺｉｇＢｅｅ装置、Ｚｗａｖｅ装置、ＷＬＡＮ装置、ＧＳＭ装置、２Ｇ装置、３Ｇ装置、４Ｇ装置及び５Ｇ装置からなる群から少なくとも１つ選択されるものとすることができる。前述の信号処理部１３は更に、身長データ及び体重データを、無線通信装置１４を介して外部モバイル装置又はサーバに送信する。該外部モバイル装置又はサーバは、身長データ及び体重データを保存したり、所定の方法（曲線図等）で測定対象者の体格指標を表示したりできる。これにより、測定対象者の比較的包括的な人間健康指標を確立して、使用者が測定対象者の体格指標を直感的に理解するのをより容易にする。
【００２０】
表示スクリーン４０は、前述の信号処理部１３から送信された処理済みの身長及び体重データを受信・表示する。表示スクリーン４０には、ＬＣＤ又はデジタル表示スクリーンを用いることができる。
【００２１】
検出ボード５０は、スケール本体１０とは別体となっており、測定対象者の頭頂部に当接させて使用される。該検出ボード５０は、プラットフォーム１１に対して近づけたり離れたりするように移動させることができる。測定対象者の頭頂部に当接すると、検出ボード５０は、信号発信部２０から送信された身長測定信号を信号受信部３０に反射することができる。検出ボード５０には、信号の反射を実現可能な任意の平坦なボードを用いることができ、プラスチック板や更には携帯電話等が利用できる。
【００２２】
測定を行うときは、測定対象者は、プラットフォーム１１上に乗り、その頭頂部に検出ボード５０を保持する。信号発信部２０が、身長測定信号を検出ボード５０に向けて送信する。身長測定信号は、検出ボード５０により反射され、信号受信部３０により受信される。これにより、測定対象者の身長測定が実施される。
【００２３】
上述の体重計１００は、スケール本体１０と、スケール本体１０とは別体の検出ボード５０とを備える。スケール本体１０は、信号発信部２０と、信号受信部３０と、秤量機構１２と、信号処理部１３と、無線通信装置１４と、表示スクリーン４０とを備える。信号発信部２０は、身長測定信号を送信する。身長測定信号は、検出ボード５０によって反射された後、信号受信部３０によって受信される。プラットフォーム１１と検出ボード５０との間の測定されたこの距離が、測定対象者の身長である。信号処理部１３は、信号発信部２０と、信号受信部３０と、秤量機構１３と、無線通信装置１４と、表示スクリーン４０とに、それぞれ電気的に接続されている。信号処理部１３は、信号発信部２０、信号受信部３０及び秤量機構１２のデータを処理する。この処理されたデータを、該信号処理部１３は、表示用として表示スクリーン４０に送信する。無線通信装置１４は、無線ネットワークを介して外部モバイル装置又はサーバとやり取りを行い、信号処理部１３は更に、処理されたデータを、無線通信装置１４を介して外部モバイル装置又はサーバに送信する。このようにして、測定対象者の正確な体重及び身長データが、受信信号に対する信号処理部の処理を介して得られる。このため、機械的手段を用いて手動で身長を測定する必要がなくなり、測定結果の正確性を確保できる。測定結果は、表示スクリーン上に視覚的に表示させることができる。また、測定結果は、無線通信装置を介して外部モバイル装置又はサーバに送信して保存させることができ、これにより、測定結果を手動で記録する必要がなくなり、時間及び労力の節約となり便利且つ実用的である。
【００２４】
本実施形態において、体重計１００は、電源装置７０を更に備える。電源装置７０は、体重計１００に電力を供給するのに使用される。電源装置７０は、バッテリや他の充電可能な装置とすることができる。ある実施形態においては、電源装置に外部の交流電流を直流電流に変換させて、電力を体重計１００に供給させることもできる。
【００２５】
本実施形態において、体重計１００は、信号処理部１３に電気的に接続された音響インジケータ８０を更に備える。音響インジケータ８０は、信号処理部１３により送信された測定結果を音声で報知するのに使用される。
【００２６】
本実施形態において、スケール本体１０には、操作ボタン６０を更に設けることができる。操作ボタン６０及び表示スクリーン４０はいずれも、プラットフォーム１１に設けられている。操作ボタン６０は、表示スクリーン４０の一方の側に設けられている。操作ボタンは、ロックボタン、音響提示ボタン、無線送信ボタン、電源ボタン及び身長表示ボタンからなる群から少なくとも１つ選択されるものとすることができる。ロックボタンは、表示されている体重値が、体重計１００上の測定対象者の揺動によって影響されるのを防止するのに使用される。測定対象者がロックボタンを押すと、表示されているその体重値は変動しなくなる。音響提示ボタンは、測定結果（身長や体重等）を音声で報知するか否かについて、測定対象者に選択させるのに使用される。音響提示ボタンが押されると、体重計１００は、測定結果を音声で報知し、そうでない場合は音声による報知は行われない。無線送信ボタンは、測定結果を無線ネットワークを介して外部モバイル装置又はサーバに送信するか否かについて、測定対象者に選択させるのに使用される。無線送信ボタンが押されると、体重計１００は、測定結果を外部モバイル装置又はサーバに送信し、そうでない場合は測定結果の送信は行われない。電源ボタンは、体重計１００に電源投入するか否かを制御するのに使用される。電源ボタンが押されると、体重計１００は、電源がオンになり、そうでない場合は体重計１００は電源投入されない。身長表示ボタンは、測定対象者の身長を測定・表示するか否かについて、測定対象者に選択させるのに使用される。身長表示ボタンの初期状態は、身長を測定・表示するように示している。身長表示ボタンが押されると、身長の測定及び表示は行われなくなる。
【００２７】
図４〜６を参照し、第２実施形態に係る体重計２００を示す。本実施形態において、体重計２００は、スケール本体２１０と、検出ボード２５０とを備える。
【００２８】
スケール本体２１０は、プラットフォーム２１１を備える。プラットフォーム２１１は、測定対象者の足に接触することができる。
【００２９】
検出ボード５０は、スケール本体１０とは別体となっており、測定対象者の頭頂部に当接させて使用される。本実施形態においては、検出ボード５０に信号発信部２２０が設けられている。信号発信部２２０は、測定対象者の身長を測定するための信号を発信するのに使用される。
【００３０】
スケール本体２１０は、秤量機構２１２と、信号受信部２３０と、信号処理部２１３と、無線通信装置２１４と、表示スクリーン２４０とを更に備える。
【００３１】
秤量機構２１２は、測定対象者の体重を量るのに使用される。
【００３２】
信号受信部２３０は、信号発信部２２０により送信された身長測定信号を受信するのに使用される。測定を行うときは、測定対象者は、プラットフォーム２１１上に乗り、その頭頂部に当接している検出ボード２５０を保持して、信号発信部２２０により発信された信号を信号受信部２３０によって受信できるようにする。
【００３３】
信号処理部２１３は、信号受信部２３０と、秤量機構２１２と、無線通信装置２１４と、表示スクリーン２４０とに、それぞれ電気的に接続されている。該信号処理部２１３は、信号発信部２２０及び信号受信部２３０から送信されたデータを処理して測定対象者の身長データを取得したり、秤量機構２１２から送信されたデータを処理して測定対象者の体重データを取得したり、その身長データ及び体重データを表示スクリーン２４０に送信したりする。
【００３４】
無線通信装置２１４は、無線ネットワークを介して外部モバイル装置又はサーバとやり取りを行うから使用される。前述の信号処理部２１３は更に、身長データ及び体重データを、保存を目的として、無線通信装置２１４を介して外部モバイル装置又はサーバに送信する。
【００３５】
表示スクリーン２４０は、前述の信号処理部２１３から送信された処理済みの体重及び身長データを受信・表示する。
【００３６】
本実施形態において、スケール本体２１０には、操作ボタン２６０を更に設けることができる。操作ボタン２６０及び表示スクリーン２４０はいずれも、プラットフォーム２１１に設けられている。操作ボタン２６０は、表示スクリーン２４０の一方の側に設けられている。操作ボタン２６０は、ロックボタン、音声報知ボタン、無線送信ボタン、電源ボタン及び身長表示ボタンからなる群から少なくとも１つ選択されるものとすることができる。
【００３７】
上述の体重計２００は、スケール本体２１０と、スケール本体２１０とは別体の検出ボード２５０とを備える。検出ボード２５０には、信号発信部２２０が設けられる。スケール本体２１０は、信号受信部２３０と、秤量機構２１２と、信号処理部２１３と、無線通信装置２１４と、表示スクリーン２４０とを備える。信号発信部２２０は、身長測定信号を送信する。身長測定信号は、信号受信部２３０により受信される。無線通信装置２１４は、無線ネットワークを介して外部モバイル装置又はサーバとやり取りを行う。信号処理部２１３は、信号受信部２３０と、秤量機構２１２と、無線通信装置２１４と、表示スクリーン２４０とに、それぞれ電気的に接続されている。信号処理部２１３は、信号発信部２２０、信号受信部２３０及び秤量機構２１２のデータを処理し、この処理されたデータを表示スクリーン２４０に表示用に送信する。更に、信号処理部２１３は、処理されたデータを、保存を目的として、無線通信装置２１４を介して外部モバイル装置又はサーバに送信する。このようにして、測定対象者の正確な体重及び身長データが、受信信号に対する信号処理部の処理を介して得られる。このため、機械的手段を用いて手動で身長を測定する必要がなくなり、測定結果の正確性を確保できる。測定結果は、表示スクリーン上に視覚的に表示させることができる。また、測定結果は、無線通信装置を介して外部モバイル装置又はサーバに送信して保存させることによって、測定結果を手動で記録する必要がなくなり、時間及び労力の節約となり便利且つ実用的である。
【００３８】
設計要件に応じて、信号受信部２３０を検出ボード２５０に設け且つ信号発信部２２０をスケール本体２１０に設けることができることは理解されたい。測定を行うとき、測定対象者は、プラットフォーム２１１上に乗り、その頭頂部に当接している検出ボード２５０を保持する。信号発信部２２０により送信された信号は信号受信部２３０によって受信することができ、信号の伝播時間及び伝播速度に基づいて身長パラメータが計算できる。信号の伝播速度は、所定の信号発信部２２０において一定である。
【００３９】
同様に、別の実施形態においては、信号発信部２２０及び信号受信部２３０の両方を検出ボード２５０に設けることができる。測定を行うとき、測定対象者は、プラットフォーム２１１上に乗り、その頭頂部に当接している検出ボード２５０を保持する。信号発信部２２０が、身長測定信号を送信する。身長測定信号は、プラットフォーム２１１によって反射される。反射された身長測定信号は、信号受信部２３０によって受信される。信号の伝播時間及び伝播速度に基づいて計算することによって、測定対象者の身長パラメータが得られる。信号の伝播速度は、所定の信号発信部２２０において一定である。
【００４０】
上述の実施形態の技術的特徴は、任意に組み合わせることができる。説明の簡潔さのために、上述の実施形態における技術的特徴の全ての可能な組み合わせは説明していない。しかしながら、これらの技術的特徴の組み合わせにおいて不調和が生じない限り、本明細書において説明した範囲内であるとみなされるべきである。
【００４１】
上述の実施例は、本開示の単なる具体的な実施形態であり、本開示の保護範囲を限定することを意図したものではない。本開示に開示された技術的範囲内で当業者により見出されうる全ての変更や置換は、本開示の保護範囲に包含されるべきであることに注意されたい。従って、本開示の保護範囲は、請求項の保護範囲を対象とすべきである。
【図１】
2019191147.tif 000003
【図２】
2019191147.tif 000004
【図３】
2019191147.tif 000005
【図４】
2019191147.tif 000006
【図５】
2019191147.tif 000007
【図６】
2019191147.tif 000008
【外国語明細書】
2019191147000001.pdf